(57)【要約】以下を特徴とする、回転ウィングの分散展開構造を備えた自動回転ドアを開示するものである。各回転ウィングが、駆動モーターによって駆動される上部プレートの下側にて規則的な角度で分割されている前記回転ウィングと係合し、前記回転ウィングの上部外側が、前記上部プレートの支持部の外端部にてヒンジ連結され、前記回転ウィングの上部内側が、前記上部プレートのクロスバーの下側にて摺動可能であり、さらに 各回転ウィングが、前記外側前端部に対して前記外側壁部材の方向に展開されている。【選択図】図２
2009503295.tif 000002
【特許請求の範囲】
【請求項１】
以下を特徴とする回転ウィングの分散展開構造を備えた自動回転ドアであって、外装体１０が透明壁部材１及び１’を有する垂直フレーム２及び２’の上側に設置され、上部プレート２１を有する内装体２０が前記外装体１０の内部下側に設置され。複数の分割された回転ウィング３０及び３０’が、前記上部プレート２１の下側に設置され、前記内装体２０と前記回転ウィング３０及び３０’が前記外装体１０の上側に設置される駆動モーター１１の回転駆動力によって同時に回転され、前記回転ウィング３０及び３０’が前記内装体２０の内側にてヒンジ連結されている上部片側のヒンジ軸３４と回転可能に固定され、同ヒンジ軸の上部他側が前記内装体２０を交差する前記クロスバー４０及び４０’にて摺動自在に設置され、前記内装体２０の外側にて係合された複数の回転ローラー５０及び５０’が前記外装体１０の内側から突出する支持突起部１２によって支持され、前記回転ウィング３０及び３０’が、前記ヒンジ軸３４に対して前記クロスバー４０及び４０’に沿って前記透明壁部材１及び１’に向かって展開される自動回転ドア。
【請求項２】
請求項１に記載の自動回転ドアであって、当該支持部材４１及び４１’の中、その端部が前記内装体２０の内壁にて固定される部材が交差する形状で前記クロスバー４０及び４０の下側に設置され、前記回転ウィング３０及び３０のヒンジ軸３４が前記支持部材４１及び４１’の外側に挿入され、ドアレール３１が前記回転ウィング３０及び３０’の上側に形成され、さらに前記スライダー３２の上側に設置された移動ロッド３３が、前記クロスバー４０及び４０’にて移動可能に固定されるので、前記回転ウィング３０及び３０’は、前記スライダー３２と前記移動ロッド３３の摺動移動により、前記ヒンジ軸３４に対して前記透明壁部材１及び１’に向かって別々に展開されることができるようになっていることを特徴とする請求項１に記載の自動回転ドア。
【請求項３】
請求項２に記載の自動回転ドアであって、特に、前記内装体２０の内側が前記内装体２０の下側の上部プレート２１で仕上げられ、長円形のガイド穴２２が前記スライダー３２の移動ロッド３３を往復動させるように形成され、切れ目２３を有するゴムシート２４が前記長円形のガイド穴２２内に設けられ、前記移動ロッド３３とともに移動するカバープレート２５が前記長円形のガイド穴２２の上側に設けられるので、前記内装体２０の内部が前記長円形のガイド穴２２を介して前記上部プレート２１の下側から見られないようになっている自動回転ドア。
【請求項４】
請求項３に記載の自動回転ドアであって、切れ目２３を有するゴムシート２４が前記長円形のガイド穴２２内に設けられ、前記移動ロッド３３とともに移動するカバープレート２５が前記長円形のガイド穴２２の上側に設けられるので、前記内装体２０の内部が前記長円形のガイド穴２２を介して前記上部プレート２１の下側から見られないようになっている自動回転ドア。
【請求項５】
前記移動ロッドとともに移動するカバープレート２５が前記上部プレート２１の長円形のガイド穴２２の上側に形成されるので、前記内装体２０の内部が前記長円形のガイド穴２２を介して、前記上部プレート２１の下側から見られないようになっていることを特徴とする請求項３に記載の自動回転ドア。
【発明の詳細な説明】
【技術分野】
【０００１】
本発明は、ビルの入口に設置される回転ドアに関するものであり、特に、自動回転ドアの回転ウィングが複数の部品に分離され、回転上部プレートにてヒンジ連結され、さらに、前記ヒンジ連結点周囲の透明壁部材に向かって分散展開されるので、透明壁部材に向かって分散展開される前記回転ウィングにより幅広い通路面積が得られるようになっており、それによって随行者とともにドアを利用するＶＩＰや有名な芸能人たちや、展示用の車両などのサイズの大きな物を効率的に通り抜けさせることが可能な回転ウィングの分散展開構造を備えた自動回転ドアに関するものである。
【背景技術】
【０００２】
一般に、回転ドアはビルの入口に設置され、その回転ドアを通って通行人やさまざまな物が出入りする。
【０００３】
従来型回転ドアの構造では、図８に示すように、透明壁部材１０３が前記回転ウィング１０１及び１０１’の外側に設置され、さらに前記透明壁部材１０３が入口１０２及び１０２’を持つ状態で、複数の回転ウィング１０１及び１０１’が垂直回転軸１００に設置される。
【０００４】
さらに追加の開閉ドア１０４が前記透明壁部材１０３の片側又は両側に設置されるので、一部の利用者や長い物が通り抜けることができるようになっている。
【０００５】
従来型回転ドアは、ユーザーが回転ウィングを押すことで前記ドアが回転し、それによってユーザーは前記回転ドアを通り抜けることができるようにデザインされている。
【０００６】
最近では、駆動力装置が前記回転ドアに設置され、さらに検出センサーが入口に設置されている。上記構造を用いれば、ユーザーが前記ドアに接近すると前記検出センサーはユーザーの行動を検出し、前記駆動力装置に電源をかけ、連結されている回転軸を自動的に回転させるので、ユーザーは前記ドアを物理的に押すことなしに容易に通り抜けることができる。
【０００７】
特に、従来型回転ドアや自動回転ドアには、ユーザーの持ち物や衣服が前記回転ドア端部と前記透明壁部材との間に挟まれる可能性もあるという問題がある。長い物を通り抜けさせようとする場合では、前記回転ウィングの設置角度により、前記回転ドアを通り抜けることができないことがある。
【０００８】
各回転ウィングは、前記回転軸の片側又は両側に配される回転式折りたたみ構造を採り入れてデザインされている。この構造を用いれば、特定の安全に関わる事故が起こった際、対応するウィングを折りたたむことで、迅速に事故の対処を行うことが可能である。前記回転ドアを利用して長い物を通り抜けさせようとする場合では、対応する回転ウィングが片側に折りたたまれるので、ある程度の通路スペースを得られるようになっている。
【０００９】
しかしながら、前記自動回転ドアと、前記回転ウィングの折りたたみ構造は、その中心回転軸に対して平行に折りたたまれるようになっている。そのため、前記回転ウィングが折りたたまれているときでさえも、ヒンジ連結された前記回転ウィングと前記中心回転軸が前記回転ドアの中心に位置決めされるので、所望の幅広い通路スペースを得ることは不可能である。
【００１０】
すなわち、従来型回転ドア又は自動回転ドアは、一般にその垂直中心回転軸にていくつもの回転ウィングを有するものである。
【００１１】
所望の幅広い通路スペース又は安全性を得られるように前記回転ウィングが折りたたまれる場合でも、前記回転ウィングは前記中心回転軸から折りたたまれるので、前記中心回転軸や回転ウィングは依然として前記回転ドアの内心にあるため、幅広い通路スペースを得ることが不可能になっている。
【００１２】
ユーザーが随行者とともに前記回転ドアを使用したり、ＶＩＰ又は有名な芸能人が前記ドアを使用したりする場合でも、前記ドアを通り抜けることができるのは１人だけなのでセキュリティ問題が起こり得る。車両が展示されたり、サイズの大きな製品が展示されたりする場所では、車両やサイズの大きな物は前記ドアに入らないので、サイズの大きな開閉ドアが追加設置されなければならない。
【発明の開示】
【発明が解決しようとする課題】
【００１３】
よって、従来型技術で遭遇する前記問題点を克服することが本発明の目的である。
【課題を解決するための手段】
【００１４】
本発明の別の目的は、以下を特徴とする回転ウィングの分散展開構造を備えた自動回転ドアを提供することである。
【発明の効果】
【００１５】
各回転ウィングが、駆動モーターによって駆動される上部プレートの下側にて規則的な角度で分割されている前記回転ウィングと係合し、前記回転ウィングの上部外側が、前記上部プレートの支持部の外端部にてヒンジ連結され、前記回転ウィングの上部内側が、前記上部プレートのクロスバーの下側にて摺動可能であり、さらに各回転ウィングが、前記外側前端部に対して前記外側壁部材の方向に展開されている。
【００１６】
上記構造を用いれば、中心回転軸が設けられていない状態において、前記回転ドアの本来の機能が達成される。
【００１７】
前記回転ドアの通路を開くことが必要である場合、前記回転ウィングが前記壁部材の内向き方向に折りたたまれるので、前記回転ドアの通路を完全に開くことができるようになっている。
【００１８】
したがって、厳重な警護付きのＶＩＰや有名な芸能人とその随行者もともに自由に通り抜けることができる。
【００１９】
さらに、車両又は家具のような大型サイズの物も前記回転ドアを通り抜けることができるので利便性が向上され、追加の開閉ドアを設けることなしに、さまざまな物が自由に通り抜けることが可能である。
【００２０】
多数の人々が同時に前記ドアに入ることができるので、効率が最大化されるようになっている。
【発明を実施するための最良の形態】
【００２１】
以下、本発明の好適な実施形態を添付図面を参照して説明する。
【００２２】
図１は、本発明に係る自動回転ドアを図解説明する斜視図であり、図２は、本発明に係る自動回転ドアを図解説明する横断面図であり、図３は、本発明に係る自動回転ドアを図解説明する平面図である。
【００２３】
外装体１０は、透明壁部材１及び１’を有する垂直フレーム２及び２’の上側に設置される。上部プレート２１を有する内装体２０は、前記外装体１０の内部下側に設置される。複数の分割された回転ウィング３０及び３０’は、前記上部プレート２１の下側に設置される。前記内装体２０と前記回転ウィング３０及び３０’は、前記外装体１０の上側に設置される駆動モーター１１の回転駆動力によって同時に回転される。前記回転ウィング３０及び３０’は、前記内装体２０の内側にてヒンジ連結されている上部片側のヒンジ軸３４と回転可能に固定される。同ヒンジ軸の上部他側は、前記内装体２０を交差する前記クロスバー４０及び４０’にて摺動自在に設置される。
【００２４】
前記内装体２０の外側にて係合された複数の回転ローラー５０及び５０’は、前記外装体１０の内側から突出する支持突起部１２によって支持され、前記回転ウィング３０及び３０’は、前記ヒンジ軸３４に対して前記クロスバー４０及び４０’に沿って前記透明壁部材１及び１’に向かって展開される。
【００２５】
支持部材４１及び４１’の中で、その端部が前記内装体２０の内壁で固定される部材は、交差する形状で前記クロスバー４０及び４０の下側に設置され、前記回転ウィング３０及び３０のヒンジ軸３４は、前記支持部材４１及び４１’の外側に挿入される。ドアレール３１は、前記回転ウィング３０及び３０’の上側にて形成され、前記スライダー３２の上側に設置された移動ロッド３３は、前記クロスバー４０及び４０’にて移動可能に固定される。上記構造を用いれば、前記回転ウィング３０及び３０’は、前記スライダー３２と前記移動ロッド３３の摺動移動に基づいて前記ヒンジ軸３４に対して前記透明壁部材１及び１’に向かって別々に展開される。
【００２６】
特に、前記内装体２０の内側は、前記内装体２０の下側の上部プレート２１で仕上げられている。長円形のガイド穴２２は、前記スライダー３２の移動ロッド３３が往復動するように形成される。切れ目２３を有するゴムシート２４は、前記長円形のガイド穴２２内に設けられる。前記移動ロッド３３とともに移動するカバープレート２５は前記長円形のガイド穴２２の上側に設けられるので、前記内装体２０の内部が前記長円形のガイド穴２２を介して前記上部プレート２１の下側から見られないようになっている。
【００２７】
前記図面中、参照番号４５は前記クロスバーのスリットを表す。
【００２８】
以下、本発明に係る回転ウィングの分散展開構造を備えた回転ドアの動作を添付図面を参照して説明する。
【００２９】
本発明に係る自動回転ドアの基本構造は、定間隔を置いて設けられる前記垂直フレーム２及び２’と、その垂直フレーム２及び２’間で円形に形成される透明壁部材１及び１’である。入口が前記透明壁部材１及び１’により設けられていない状態で、入口は前記垂直フレーム２及び２’の両側に形成される。
【００３０】
前記透明壁部材１及び１’は、強化ガラス又は高強度合成樹脂で形成される。
【００３１】
図４に示すように、さまざまな駆動要素や機能部を含む前記外装体１０は、前記透明壁部材１及び１’の上側と、前記垂直フレーム２及び２’の上側と、に設けられる。前記駆動モーター１１は、前記回転ウィング３０及び３０’を駆動するように前記外装体１０の内側又は上側にて起動される。
【００３２】
前記内装体２０は前記外装体１０の内側に設けられ、前記回転ウィング３０及び３０’のヒンジ連結・連動により、前記回転ウィング３０及び３０とともに回転される。
【００３３】
複数の回転ローラー５０及び５０’は、前記内装体２０の外面に設置され、前記外装体１０の内側から突出する支持突起部１２によって支持される。前記駆動モーター１１が動作するにつれて、前記内装体２０は、前記外装体１０の支持突起部２よって安定的に支持され、それによって安定した回転が実現される。
【００３４】
特に、前記内装体２０にてヒンジ連結・固定された前記回転ウィング３０及び３０’は、前記内装体２０から前記透明壁部材１及び１’に展開され回転される。
【００３５】
前記ヒンジ軸３４と前記ドアレール３１は、前記回転ウィング３０及び３０’の上側に形成され、前記ヒンジ軸３４に沿って分割され、前記内装体２０の内壁とヒンジ連結・係合された前記回転ウィング３０及び３０’は、前記透明壁部材１及び１’に向かって回転・展開される。
【００３６】
前記回転ウィング３０及び３０’の前端部に形成された前記ドアレール３１は、前記ヒンジ軸３４によって支持された前記回転ウィング３０及び３０’の安定した支持と回転・折りたたみを可能にする。
【００３７】
前記ドアレール３１に挿入された前記スライダー３２には、移動ロッド３３が上方向に設けられており、前記移動ロッド３３の前端部は、前記内装体２０を交差する前記クロスバー４０及び４０’の下側に滑動して挿入される。
【００３８】
したがって、前記回転ウィング３０及び３０’を完全に開くように回転力が前記回転ウィング３０及び３０’に作用するので、図５に示すように、車両やサイズの大きな物又は多くの人々が同時に通り抜けることができ、前記移動ロッド３３は前記クロスバー４０及び４０’のスリット穴４５に沿って滑動できるようになっており、前記移動ロッド３３の下側のスライダー３２が前記ドアレール３１に沿って滑動するので、前記ドアレール３１と前記回転ウィング３０及び３０’は、前記クロスバー４０及び４０’の固定位置に基づいて前記ヒンジ軸３４に対して回転かつ展開できるようになっている。
【００３９】
前記ヒンジ軸３４は、前記内装体２０の内側にて直接固定されてもよく、同軸の各端部が前記内装体２０の内壁にて固定され、前記支持部材４１及び４１’の端部に挿入されている状態で、その支持力を高めるように前記クロスバー４０及び４０’の中心から対角に配設されるので、前記回転ウィング３０及び３０の重量は前記支持部材４１及び４１’に移動され、それによって安定した支持力と設置状態を維持できるようになっている。
【００４０】
したがって、図６に示すように、互いに対角に位置決めされ、同時に回転する各回転ウィング３０及び３０’が前記透明壁部材１及び１’に向かって回転・展開されると、前記回転ドアの内側は完全に開くので、多くの人々が同時に通り抜けることができ、前記ドアを通して車両やサイズの大きな家具を通り抜けさせることができるようになっている。
【００４１】
完全に展開された回転ウィング３０及び３０’が、元の位置に復帰しようとすると、前記スライダー３２は、前記ドアレール３１に沿って前記クロスバー４０及び４０’の中心に向かって移動されるので、前記回転ウィング３０及び３０’は、互いに自然交差し、元の位置に戻ることができるようになっている。
【００４２】
また、ユーザーは、前記回転ウィング３０及び３０’の展開力と復帰力を直接に実行することもできる。特定のアクチュエータ又は新しいユニットを設けることもできるので、前記回転ウィング３０及び３０’の自動展開や自動復帰操作を行うことも可能である。
【００４３】
前記内装体２０の内側は外部に暴露されているので外観が悪い。よって、上部プレート２１は、同内装体の内側を隠すように前記内装体２０の底部に形成される。長円形のガイド穴２２が前記上部プレート２１に形成されるので、前記内装体２０と前記回転ウィング３０及び３０’とを連結する前記移動ロッド３３は干渉されないようになっている。
【００４４】
ここで、前記長円形のガイド穴２２の数は、前記移動ロッド３３の動作範囲に基づく前記クロスバー４０及び４０’の下側と一致するように、前記回転ウィング３０及び３０’の数に基づいて決められる。前記回転ウィング３０及び３０’が折りたたまれると、前記長円形のガイド穴２２のほとんど下側は下方に開くので、前記内装体２０の内側が外側から見られるようになっている。上記問題点を防止するために、図７に示すように、切れ目２３を有するゴムシート２４が前記長円形のガイド穴２２の内側に形成されるので、前記移動ロッド３３は前記ゴムシート２４の切れ目２３に沿って移動できるようになっている。上記構造を用いれば、前記上部プレート２１の内側は前記ゴムシート２４によって見られることがない。
【００４５】
さらに、図８に示すように、前記長円形のガイド穴２２よりも長いカバープレート２５を前記ゴムシート２４の代わりに前記長円形のガイド穴２２の上面に載置することも可能である。前記移動ロッド３３は前記カバープレート２５を通り抜ける。前記移動ロッド３３の摺動直後、前記カバープレート２５が移動する。前記長円形のガイド穴２２は、連続的に閉じておいてもよい。
【産業上の利用可能性】
【００４６】
上記のように、回転ウィングの分散展開構造を備えた本発明に係る自動回転ドアは、前記中心回転軸なしに前記回転ドアの本来の機能を満足させることを目的に設計されている。前記回転ドアの通路が開いてる場合では、前記回転ドアは内向きに折りたたまれて展開され、それによって前記回転ドアの通路は完全に開かれる。上記構造を用いれば、厳重な警護を必要とするＶＩＰ又は有名な芸能人が入ることが可能となり、車両又はサイズの大きな家具を通り抜けさせることもでき、それによって同ドアの利用が促進される。追加の開閉ドアを設けることなしに、さまざまな物の移動が干渉されない 。多くの人々が前記回転ドアに同時に入ることができるので、その効率を最大化できるようになっている。
【００４７】
本発明は、本発明の真の趣旨または基本的な特徴から逸脱することなくいくつかの形態で実施することができるので、別段の指定がない限り、上記の実施例が前述説明のいかなる詳細によっても限定されるものではなく、むしろ添付の特許請求の範囲において定義されるその真の趣旨及び範囲から逸脱することなく広義に解釈されるべきであり、したがって本特許請求の範囲内またはかかる範囲内と同等のすべての変更形態及び修正形態が添付の特許請求の範囲に包含されるべきであることが理解されるであろう。
【図面の簡単な説明】
【００４８】
【図１】図１は、本発明に係る自動回転ドアを図解説明する斜視図である。
【図２】図２は、本発明に係る自動回転ドアを図解説明する横断面図である。
【図３】図３は、本発明に係る自動回転ドアを図解説明する平面図である。
【図４】図４は、本発明に係る自動回転ドアの主要部を図解説明する横断面図である。
【図５】図５は、本発明に係る自動回転ドアの回転ウィングの開閉動作を図解説明する斜視図である。
【図７】図７は、本発明に係る自動回転ドアのガイド穴を図解説明する図で上部プレートのガイド穴にて切れ目を有する弾性シートを図解説明する拡大断面図である。
【図８】図８は、本発明に係る自動回転ドアのガイド穴を図解説明する図で上部プレートのガイド穴の上側に摺動ユニットと可動プレートとがともに取り付けられている状態を図解説明する拡大断面図である。
【図１】
2009503295.tif 000003
【図２】
2009503295.tif 000004
【図３】
2009503295.tif 000005
【図４】
2009503295.tif 000006
【図５】
2009503295.tif 000007
【図６】
2009503295.tif 000008
【図７】
2009503295.tif 000009
【図８】
2009503295.tif 000010
【図９】
2009503295.tif 000011
【国際調査報告】
2009503295.tif 000012
2009503295.tif 000013